(57)【要約】【課題】相異なる複数の設置態様に対応し得る床見切材を提供する。【解決手段】床見切材１は、第１床部２とこの第１床部よりも低い第２床部３との段差を緩和するように設置された状態で前記第１床部の床面から前記第２床部の床面に向けて傾斜する傾斜面を構成する上面部１１を有した見切本体１０と、この見切本体の下面部１６に対して上面部２１が接合される補助見切材２０と、を備えており、前記見切本体の下面部及び前記補助見切材の上面部は、互いに接合された状態で該見切本体の上面部と該補助見切材の下面部２３とが平行状となるように該見切本体の上面部及び該補助見切材の下面部に対して傾斜状に形成されている。【選択図】図１
2014240549.tif 000002
【特許請求の範囲】
【請求項１】
第１床部とこの第１床部よりも低い第２床部との段差を緩和するように設置された状態で前記第１床部の床面から前記第２床部の床面に向けて傾斜する傾斜面を構成する上面部を有した見切本体と、この見切本体の下面部に対して上面部が接合される補助見切材と、を備えており、
前記見切本体の下面部及び前記補助見切材の上面部は、互いに接合された状態で該見切本体の上面部と該補助見切材の下面部とが平行状となるように該見切本体の上面部及び該補助見切材の下面部に対して傾斜状に形成されていることを特徴とする床見切材。
【請求項２】
請求項１において、
前記見切本体は、前記第１床部と前記第２床部との段差の段壁面に対面するように配設される対面部と当該見切本体の下面部とのなす角度が直角以上となるように形成されていることを特徴とする床見切材。
【請求項３】
請求項１または２において、
前記見切本体の前記第１床部側に配設される幅方向一端側の上縁部には、前記第１床部の床面を覆うように配設される突片部が設けられていることを特徴とする床見切材。
【請求項４】
請求項３において、
前記見切本体は、当該見切本体と前記補助見切材とが互いに接合され、前記第１床部とこの第１床部から間隔を空けて設けられた第３床部との間を塞ぐように設置された状態で前記第３床部の床面を覆うように配設される突片部が形成されるように、幅方向他端側が前記補助見切材よりも幅方向外方側に向けて突出する構成とされていることを特徴とする床見切材。
【請求項５】
請求項４において、
前記見切本体の幅方向両端側の突片部のうちの少なくとも幅方向他端側に形成される突片部の下方側凹所を埋めるように配設される側端部材を更に備えていることを特徴とする床見切材。
【発明の詳細な説明】
【技術分野】
【０００１】
本発明は、住居等の建物の床の境界部等に設置される床見切材に関する。
【背景技術】
【０００２】
従来より、住居等の建物の床の境界部等に設置される床見切材が知られている。
例えば、下記特許文献１では、短手方向に傾斜上面をもつ断面直角三角状とされ、各部屋の敷居やドア枠下部材と床面や廊下との段差を解消するために設置される段差解消部材が提案されている。
また、下記特許文献２では、床の仕上げが変わる境界部に各仕上げ材の端部を仕舞うように各仕上げ材間の隙間を塞ぐように設置される床見切が提案されている。
【先行技術文献】
【特許文献】
【０００３】
【特許文献１】特開平９−１９５４８２号公報
【特許文献２】特開平９−６０４２８号公報
【発明の概要】
【発明が解決しようとする課題】
【０００４】
上記のように床見切材は、隣接する床部同士の段差を緩和すべく設置されたり、床材間の隙間を塞ぐように設置されたりする場合があるが、それぞれの設置態様に応じた専用のものが必要となり、更なる改善が望まれていた。
【０００５】
本発明は、上記実情に鑑みてなされたものであり、相異なる複数の設置態様に対応し得る床見切材を提供することを目的としている。
【課題を解決するための手段】
【０００６】
上記目的を達成するために、本発明に係る床見切材は、第１床部とこの第１床部よりも低い第２床部との段差を緩和するように設置された状態で前記第１床部の床面から前記第２床部の床面に向けて傾斜する傾斜面を構成する上面部を有した見切本体と、この見切本体の下面部に対して上面部が接合される補助見切材と、を備えており、前記見切本体の下面部及び前記補助見切材の上面部は、互いに接合された状態で該見切本体の上面部と該補助見切材の下面部とが平行状となるように該見切本体の上面部及び該補助見切材の下面部に対して傾斜状に形成されていることを特徴とする。
【０００７】
本発明においては、前記見切本体を、前記第１床部と前記第２床部との段差の段壁面に対面するように配設される対面部と当該見切本体の下面部とのなす角度が直角以上となるように形成されたものとしてもよい。
また、本発明においては、前記見切本体の前記第１床部側に配設される幅方向一端側の上縁部に、前記第１床部の床面を覆うように配設される突片部を設けてもよい。
また、本発明においては、前記見切本体を、当該見切本体と前記補助見切材とが互いに接合され、前記第１床部とこの第１床部から間隔を空けて設けられた第３床部との間を塞ぐように設置された状態で前記第３床部の床面を覆うように配設される突片部が形成されるように、幅方向他端側が前記補助見切材よりも幅方向外方側に向けて突出する構成としてもよい。
また、本発明においては、前記見切本体の幅方向両端側の突片部のうちの少なくとも幅方向他端側に形成される突片部の下方側凹所を埋めるように配設される側端部材を更に備えたものとしてもよい。
【発明の効果】
【０００８】
本発明に係る床見切材は、上述のような構成としたことで、相異なる複数の設置態様に対応することができる。
【図面の簡単な説明】
【０００９】
【図１】（ａ）〜（ｃ）は、いずれも本発明の一実施形態に係る床見切材の一例を模式的に示す概略縦断面図である。
【図２】（ａ）は、図１（ａ）におけるＸ１部に対応させた概略拡大縦断面図、（ｂ）は、図１（ａ）におけるＸ２部に対応させた概略拡大縦断面図、（ｃ）は、図１（ｂ）におけるＸ３部に対応させた概略拡大縦断面図、（ｄ）は、図１（ｂ）におけるＸ４部に対応させた概略拡大縦断面図である。
【図３】（ａ）、（ｂ）は、いずれも同床見切材を模式的に示す概略縦断面図である。
【発明を実施するための形態】
【００１０】
以下に本発明の実施の形態について、図面に基づいて説明する。
図１〜図３は、本実施形態に係る床見切材の一例を模式的に示す図である。
なお、以下の実施形態では、床見切材を設置した状態を基準として、上下方向等の方向を説明する。
【００１１】
本実施形態に係る床見切材１は、図１に示すように、見切本体１０と、この見切本体１０の下面部１６に対して上面部２１が接合される補助見切材２０と、を備えている。見切本体１０は、図１（ａ）に示すように、第１床部２とこの第１床部２よりも低い第２床部３との段差を緩和するように設置された状態で第１床部２の床面（上面）から第２床部３の床面（上面）に向けて傾斜する傾斜面を構成する上面部１１を有している。この見切本体１０の下面部１６及び補助見切材２０の上面部２１は、図１（ｂ）に示すように、互いに接合された状態で見切本体１０の上面部１１と補助見切材２０の下面部２３とが平行状となるように見切本体１０の上面部１１及び補助見切材２０の下面部２３に対して傾斜状に形成されている。
【００１２】
また、床見切材１は、見切本体１０のみでスロープ状に設置される設置態様と、補助見切材２０の上面部２１に見切本体１０の下面部１６を接合させて外郭形状が概ね帯板状とされた接合状態で設置される設置態様と、に対応可能な構成とされている。
この床見切材１は、住居等の建物内の相異なる種類等の隣接する床部同士の境界部に沿って配設されたり、隣接する空間（例えば、居室と廊下など）の床側の境界部に沿って配設されたりするものとしてもよい。
【００１３】
見切本体１０は、上記のような境界部としての第１床部２と第２床部３との段差に沿って長尺に形成されている。また、見切本体１０は、第１床部２と第２床部３との段差に沿って設置された状態で、これらの段差の段壁面２ａに対面するように配設される対面部１４を幅方向一端側に有している。
この見切本体１０は、上面部１１と対面部１４と下面部１６とによって断面略三角形状とされている。つまり、この見切本体１０は、幅方向一端側の対面部１４側から幅方向他端側に向かうに従い厚さ寸法が小さくなるように幅方向一端側から幅方向他端側に向かうに従い先細り状に形成されている。
【００１４】
また、本実施形態では、見切本体１０の第１床部２側に配設される幅方向一端側の上縁部に、第１床部２の床面を覆うように配設される突片部１３を設けている。
この突片部１３は、上面部１１と対面部１４との角部から幅方向外方側に向けて突出するように形成されている。この突片部１３の下面は、当該見切本体１０の下面部１６と平行状に形成されている。また、この突片部１３の下面は、図１（ａ）、（ｂ）、図２（ａ）、（ｃ）及び図３（ａ）に示すように、当該床見切材１（見切本体１０）の設置対象面となる第２床部３，３Ａ，３Ｂから段上がり状とされた第１床部２，２Ａの床面に当接または近接対面するように配設される。
【００１５】
また、本実施形態では、突片部１３の上面を、幅方向外方側に向かうに従い下るように傾斜する傾斜面としている。このような構成とすれば、第１床部２の床面とこれを覆うように配設される突片部１３の先端部（幅方向外方側端部）との段差を比較的に小さくすることができ、躓きや引っ掛かり等を抑制することができる。
この突片部１３の突出寸法（幅寸法）は、第１床部２の段壁面２ａ側端部上面を覆い得る寸法とすればよい。例えば、第１床部２を構成する床材や当該床見切材１（見切本体１０）の施工誤差、第１床部２の段壁面２ａを構成する床材の端面の加工誤差等に起因して対面部１４と段壁面２ａとの間に隙間が生じる場合がある。このような隙間を覆い隠す観点や、見栄え等の観点から、この突出部１３の突出寸法を適宜、設定するようにしてもよく、例えば、２ｍｍ〜１０ｍｍ程度としてもよい。また、この突片部１３の厚さ寸法（上下寸法、上面を傾斜面とした場合は最厚部の寸法）は、見栄えやバリアフリー性等の観点から、適宜、設定するようにしてもよく、例えば、５ｍｍ以下好ましくは３ｍｍ以下としてもよい。
【００１６】
また、本実施形態では、見切本体１０は、図１（ｂ）に示すように、当該見切本体１０と補助見切材２０とが互いに接合された状態で、幅方向他端側に突片部が形成されるように幅方向他端側が補助見切材２０よりも幅方向外方側に向けて突出する構成とされている。つまり、上記のように先細り状とされた見切本体１０の幅方向他端側の尖頭部１２が幅方向他端側の突片部を構成する。この尖頭部１２は、当該見切本体１０と補助見切材２０とが互いに接合され、第１床部２とこの第１床部２から床見切材１の設置対象面としての第２床部３Ａを挟むようにして間隔を空けて設けられた第３床部４との間を塞ぐように設置された状態で第３床部４の床面を覆うように配設される。
この尖頭部１２は、突片部として第３床部４の床面を覆った状態では、上記した幅方向一端側の突片部１３と概ね同様、上面が幅方向外方側に向かうに従い下るように傾斜する傾斜面とされている。また、この尖頭部１２は、当該見切本体１０と補助見切材２０とが互いに接合された状態における補助見切材２０の幅方向外方側（第３床部４側）に向く対面部２４からの幅方向への突出寸法が上記した突片部１３と略同寸法とされている。また、この状態における尖頭部１２の厚さ寸法も同様、上記した突片部１３と略同寸法とされている。
【００１７】
また、本実施形態では、この尖頭部１２の下面側に、下面部１６から段上がり状とされた凹段部１８を設けている。
この凹段部１８は、図２（ｄ）に示すように、尖頭部１２が突片部として第３床部４の床面を覆った状態で当該凹段部１８の凹底面となる尖頭部１２の下面が第３床部４の床面に当接または近接対面するように形成されている。また、凹段部１８は、図２（ｂ）に示すように、尖頭部１２の先端下端縁と当該凹段部１８を除く下面部１６とが略同一平面上に位置するように形成されている。このような構成とすれば、見切本体１０のみで設置した状態、及び見切本体１０と補助見切材２０とを接合させ、尖頭部１２を突片部として機能させた状態のいずれにおいても尖頭部１２の先端と床面との隙間を生じ難くすることができる。
【００１８】
見切本体１０の上面部１１は、図１に示すように、略全面に亘って平坦面とされている。本実施形態では、上記のように、当該見切本体１０の幅方向両端側に突片部１３及び突片部として機能する尖頭部１２を設けており、これらの上面をそれぞれ幅方向外方側に向かうに従い下るように傾斜する傾斜面としている。従って、見切本体１０の上面部１１は、幅方向両側端部がこれらの部位を除いて平坦面とされた部位（平坦部）に対して下るように傾斜する傾斜面とされている。
この見切本体１０の上面部１１（平坦部）と下面部１６とのなす角度は、図１（ａ）に示すように、当該見切本体１０を第１床部２と第２床部３との段差を緩和するように設置した場合に、傾斜面となる上面部１１が緩やかな勾配となるように適宜、設定するようにしてもよい。この上面部１１と下面部１６とのなす角度は、５°〜４５°、好ましくは５°〜３０°、より好ましくは５°〜１５°としてもよい。図例では、この上面部１１と下面部１６とのなす角度を、７°程度とした例を示している。
【００１９】
また、この見切本体１０の最大厚さ部位となる対面部１４側部位における厚さ寸法（上下寸法）は、第１床部２と第２床部３との段差に応じた寸法とされている。本実施形態では、上記のように、突片部１３を設けているため、見切本体１０の対面部１４側部位における厚さ寸法を、第１床部２と第２床部３との段差に突片部１３の厚さを加味した寸法としている。
また、この見切本体１０の幅寸法は、対面部１４側部位における厚さ寸法に比して大きい寸法とされている。この見切本体１０の幅寸法を、余りにも小さくしすぎれば、第１床部２と第２床部３との段差を緩和するように見切本体１０を設置した場合に、傾斜面となる上面部１１の傾斜角度が大きくなる傾向がある。一方、見切本体１０の幅寸法を、余りにも大きくしすぎれば、床見切材１としての外観を阻害し、また、取り扱い難くなる傾向がある。この見切本体１０の幅寸法は、段差等に応じて設定される対面部１４側部位における厚さ寸法や、緩やかな勾配となるように設定される見切本体１０の上面部１１と下面部１６とのなす角度等に応じて適宜、設定するようにしてもよい。
【００２０】
見切本体１０の対面部１４は、当該見切本体１０の幅方向外方側に向くように形成されている。
また、本実施形態では、この対面部１４と下面部１６とのなす角度が直角以上となるように見切本体１０を形成している。このような構成とすれば、第１床部２と第２床部３との段差を緩和するように見切本体１０を設置した場合に、見切本体１０の対面部１４の少なくとも上側部位を、第１床部２と第２床部３との段差の段壁面２ａに当接させることができる。これにより、見切本体１０を安定的に設置することができる。また、見切本体１０の対面部１４と段壁面２ａとの間に隙間を生じ難くすることができ、見切本体１０の幅方向一端側の突片部１３を設けない場合や突片部１３の突出寸法が小さい場合にも、見栄えを向上させることができる。つまりは、この対面部１４と下面部１６とのなす角度を鋭角とすれば、第１床部２と第２床部３との段差を緩和するように見切本体１０を設置した場合に、対面部１４の上側部位と段壁面２ａとの間に隙間が生じ易くなるがこのようなことを防止することができる。
【００２１】
この対面部１４と下面部１６とのなす角度を、余りにも大きくしすぎれば、第１床部２と第２床部３との段差を緩和するように見切本体１０を設置した場合に、対面部１４の上側部位の段壁面２ａとの当接部位の下方側に形成される空間が大きくなる傾向がある。これにより、下面部１６と第２床部３との当接面積が小さくなる傾向があり、見切本体１０の対面部１４側部位上面を踏み込んだ際に、対面部１４側部位の浮いている部位が損傷し易くなったり、尖頭部１２側に浮きが生じ易くなったりする傾向がある。このような観点から、この対面部１４と下面部１６とのなす角度を、例えば、９０°〜１２０°としてもよい。
本実施形態では、この対面部１４と下面部１６とのなす角度を、略直角としている。このような構成とすれば、第１床部２と第２床部３との段差を緩和するように見切本体１０を設置した場合に、対面部１４の略全体を段壁面２ａに当接させ易くなり、より安定的に見切本体１０を設置することができる。
【００２２】
また、このように対面部１４と下面部１６とのなす角度を略直角としている。従って、見切本体１０と補助見切材２０とを接合させ、上面部１１を水平状とした状態では、図１（ｂ）及び図２（ｃ）に示すように、対面部１４が斜め下方側を向く構成とされている。つまり、見切本体１０と補助見切材２０とを接合させ、第１床部２と第３床部４との間を塞ぐように設置した状態では、対面部１４と補助見切材２０の下面部２３に同一な仮想面とのなす角度が鈍角となる。つまりは、この状態では、段壁面２ａと対面部１４の下側部位との間に隙間が形成される構成とされている。本実施形態では、上記のように、見切本体１０の上面部１１と下面部１６とのなす角度を比較的に小さくしているので、上記隙間は僅かな隙間となる。
【００２３】
また、本実施形態では、見切本体１０の対面部１４に、後記する側端部材２６の係合部２７と互いに係合する係合部１５を設けている。本実施形態では、この係合部１５を、当該見切本体１０の幅方向外方側に向けて開口する係合凹部を構成する、当該見切本体１０の長手方向に沿って延びる係合凹溝１５としている。この係合凹溝１５は、当該見切本体１０の全長に亘って設けられたものとしてもよい。
また、この係合凹溝１５は、見切本体１０の上面部１１（平坦部）と平行な方向に向けて開口するように形成されている。つまり、この係合凹溝１５は、見切本体１０の上面部１１（平坦部）が真上を向くように水平状とされた状態で、水平方向に向けて開口するように形成されている。また、図例では、この係合凹溝１５を略矩形溝形状とした例を示している。
【００２４】
また、本実施形態では、見切本体１０の下面部１６に、後記する補助見切材２０の係合部２２と互いに係合する係合部１７を設けている。このような係合部１７，２２を設けることで、見切本体１０と補助見切材２０との接合性を向上させることができる。また、本実施形態では、補助見切材２０の係合部２２を、概ね上下方向に沿って突出し、見切本体１０の長手方向に沿って延びるようにまたは間隔を空けて設けられた係合突部２２とし、見切本体１０の係合部１７を、この係合突部２２が嵌め込まれるように挿入される係合凹部１７としている。このような構成とすれば、これらを互いに係合させることで、設置対象に対して傾斜する互いの接合面となる見切本体１０の下面部１６と補助見切材２０の上面部２１との幅方向へのずれ等を防止することができ、接合性をより向上させることができる。また、見切本体１０の係合部を係合凹部１７とすることで、見切本体１０の下面部１６を設置対象面としての第２床部３の床面に安定的に当接させることができる。
【００２５】
また、本実施形態では、この見切本体１０の係合部１７を、下方側に向けて開口し、当該見切本体１０の長手方向に沿って延びる係合凹部を構成する係合凹溝１７としている。この係合凹溝１７は、当該見切本体１０の全長に亘って設けられたものとしてもよい。
また、この係合凹溝１７は、下面部１６に対して直交方向に向けて開口するように形成されている。つまり、この係合凹溝１７は、見切本体１０の下面部１６が真下を向くように水平状とされた状態で、鉛直下方に向けて開口するように形成されている。また、図例では、この係合凹溝１７を略矩形溝形状とした例を示している。
また、本実施形態では、見切本体１０の下面部１６に、当該見切本体１０の幅方向に間隔を空けて、互いに同様の構成とされた複数（図例では、３つ）の係合凹溝１７，１７，１７を設けている。
【００２６】
補助見切材２０は、図１（ｂ）、（ｃ）に示すように、見切本体１０の下面部１６に対して接合される上面部２１と設置対象面に当接される下面部２３とを有している。また、補助見切材２０は、見切本体１０に接合され、第１床部２と第３床部４との間を塞ぐように設置された状態で第３床部４の段壁面４ａに対面するように配設される対面部２４を有している。
この補助見切材２０は、見切本体１０と概ね同様、上面部２１と対面部２４と下面部２３とによって断面略三角形状とされている。つまり、この補助見切材２０は、幅方向一端側の対面部２４側から幅方向他端側に向かうに従い厚さ寸法が小さくなるように幅方向一端側から幅方向他端側に向かうに従い先細り状に形成されている。なお、この補助見切材２０は、見切本体１０と同長さ寸法とされたものとしてもよく、または、見切本体１０の長さ寸法よりも短い寸法とされ、見切本体１０の下方側において見切本体１０の長手方向に沿って間隔を空けて配設されるものとしてもよい。
【００２７】
補助見切材２０の上面部２１は、見切本体１０の下面部１６に接合された状態で見切本体１０の下面部１６に略全面が当接される。
この補助見切材２０の上面部２１には、見切本体１０の下面部１６に設けられた係合部１７と互いに係合する係合部２２が設けられている。本実施形態では、補助見切材２０の上面部２１の係合部２２を、見切本体１０の係合凹溝１７に対応させて、上方側に向けて突出し、見切本体１０の長手方向に沿って延びるように形成された係合突部を構成する係合突条２２としている。この係合突条２２は、補助見切材２０の全長（見切本体１０の長手方向に沿う方向の全体）に亘って設けられたものとしてもよい。
【００２８】
また、この係合突条２２は、上面部２１に対して直交方向に向けて突出するように形成されている。また、図例では、この係合突条２２の両側面に、突出方向に沿って複数の爪状突起を設けた例を示している。この係合突条２２の幅寸法（補助見切材２０の幅方向に概ね沿う方向の寸法）は、見切本体１０の係合凹溝１７に挿入可能なように係合凹溝１７の溝幅寸法に応じた寸法とされている。この係合突条２２は、係合凹溝１７の溝幅寸法よりも僅かに大きい幅寸法とされて係合凹溝１７に圧入されるものとしてもよい。また、図例では、係合凹溝１７を矩形溝形状とした例を示しているが、この係合凹溝１７の両側溝内側面に、複数の爪状突起を設けるようにしてもよい。
【００２９】
また、本実施形態では、補助見切材２０の上面部２１に、当該補助見切材２０の幅方向に間隔を空けて、互いに同様の構成とされた複数（図例では、３つ）の係合突条２２，２２，２２を設けている。これら係合突条２２，２２，２２は、見切本体１０の各係合凹溝１７，１７，１７に挿入されるように、係合凹溝１７，１７，１７に応じた位置となるように設けられている。
なお、これら補助見切材２０の上面部２１の係合部としての係合突条２２と見切本体１０の下面部１６の係合部としての係合凹溝１７とは、互いに係合させた後に容易には係合解除が成され難いものとしてもよく、または容易に接離自在とされたものとしてもよい。
また、補助見切材２０の上面部２１と見切本体１０の下面部１６との接合態様としては、互いの係合部１７，２２を係合させることで接合する態様としてもよく、これに加えて、接着剤や粘着テープ等の粘着材を用いて接合する態様としてもよい。また、係合部１７，２２としては、上記のような態様に限られず、種々の変形が可能である。さらには、このような係合部１７，２２を設けないようにしてもよい。
【００３０】
補助見切材２０の下面部２３は、全面に亘って平坦面とされている。この補助見切材２０の下面部２３と上面部２１とのなす角度は、当該補助見切材２０と見切本体１０とが接合された状態で、見切本体１０の上面部１１と補助見切材２０の下面部２３とが互いに平行状となるように、上記した見切本体１０の上面部１１と下面部１６とのなす角度と等しい角度とされている。
また、この補助見切材２０の最大厚さ部位となる対面部２４側部位における厚さ寸法（上下寸法）は、図１（ｂ）に示すように、設置対象面となる第２床部３Ａと第３床部４との段差に応じた寸法とされている。この補助見切材２０の対面部２４側部位における厚さ寸法は、図２（ｄ）に示すように、上記のように見切本体１０の幅方向他端側に形成される突片部を構成する尖頭部１２の下面が第３床部４の床面に当接または近接対面するように、適宜、設定するようにしてもよい。
【００３１】
また、補助見切材２０の幅寸法は、見切本体１０が接合された状態で見切本体１０によって全体が覆われるように、見切本体１０の幅寸法よりも小さく形成されている。この補助見切材２０の幅寸法は、図１（ｂ）及び図２（ｃ）、（ｄ）に示すように、見切本体１０に接合された状態で、対面部２４の上縁が見切本体１０の凹段部１８の幅方向外方側に向く凹壁面に幅方向において概ね一致し、見切本体１０の対面部１４の下縁と下面部２３とが略同一平面上に位置するように適宜、設定するようにしてもよい。
【００３２】
補助見切材２０の対面部２４は、当該補助見切材２０の幅方向外方側に向くように形成されている。また、本実施形態では、この対面部２４と下面部２３とのなす角度を、上記した見切本体１０の対面部１４と補助見切材２０の下面部２３に同一な仮想面とのなす角度と等しい鈍角としている。
また、本実施形態では、補助見切材２０の対面部２４に、後記する側端部材２６の係合部２７と互いに係合する係合部２５を設けている。本実施形態では、この係合部２５を、上記した見切本体１０の係合部１５と概ね同様の構成としている。つまり、補助見切材２０の幅方向外方側に向けて開口する係合凹部を構成する、当該補助見切材２０の長手方向に沿って延びる係合凹溝２５としている。この係合凹溝２５は、当該補助見切材２０の全長に亘って設けられたものとしてもよい。
【００３３】
また、この係合凹溝２５は、補助見切材２０の下面部２３と平行な方向に向けて開口するように形成されている。つまり、この係合凹溝２５は、補助見切材２０の下面部２３が真下を向くように水平状とされた状態で、水平方向に向けて開口するように形成されている。また、図例では、この係合凹溝２５を略矩形溝形状とした例を示している。
また、本実施形態では、床見切材１は、見切本体１０と補助見切材２０とを接合させた状態における形状が縦断面視（長手方向に見た状態）における幅方向中心線を対称軸として概ね対称状の形状とされている。
【００３４】
また、床見切材１は、本実施形態では、図３（ａ）に示すように、見切本体１０の幅方向両端側の突片部１２，１３のうちの少なくとも幅方向他端側に形成される突片部（尖頭部）１２の下方側凹所を埋めるように配設される側端部材２６を備えている。本実施形態では、床見切材１は、図３（ｂ）に示すように、幅方向両端側の突片部１２，１３の下方側凹所を埋めるように配設される側端部材２６，２６を備えている。また、本実施形態では、幅方向両端側の突片部１２，１３の下方側凹所を概ね対称状の形状としており、幅方向両端側に配設される両側端部材２６，２６を同一部材としている。このような構成とすれば、側端部材２６，２６の取扱性等を向上させることができる。
【００３５】
この側端部材２６は、床見切材１（見切本体１０）の長さに応じた長さ寸法とされている。
また、この側端部材２６は、図３（ａ）、（ｂ）に示すように、突片部１２，１３の下方側凹所に配設された状態で、その下面が補助見切材２０の下面部２３と略同一平面状となるように形成されている。また、側端部材２６は、突片部１２，１３の下方側凹所に配設された状態で、その一方側側面（床見切材１の幅方向外方側に向く面）が突片部１２，１３の先端に連なるように形成されている。図例では、この側端部材２６の一方側側面を、補助見切材２０の下面部２３に対して直交状とした例を示している。また、側端部材２６は、突片部１２，１３の下方側凹所に配設された状態で、その他方側側面が対面部１４，２４に当接または近接対面するように形成されている。
【００３６】
また、この側端部材２６には、見切本体１０及び補助見切材２０の対面部１４，２４に設けられた係合部１５，２５に係合する係合部２７が設けられている。本実施形態では、この側端部材２６の係合部２７を、見切本体１０及び補助見切材２０の係合凹部を構成する係合凹溝１５，２５に挿入される係合突部を構成する係合突条２７としている。この係合突条２７は、側端部材２６の他方側側面から床見切材１の幅方向に沿って突出し、側端部材２６の長手方向に沿って延びるように形成されている。この係合突条２７は、側端部材２６の全長に亘って設けられたものとしてもよい。また、この係合突条２７は、見切本体１０及び補助見切材２０の係合凹溝１５，２５に圧入されるものとしてもよい。また、図例では、係合突条２７を断面略矩形状とし、係合凹溝１５，２５を矩形溝形状とした例を示しているが、上記同様、これらの側面に複数の爪状突起を設けるようにしてもよい。
【００３７】
なお、側端部材２６の係合部としての係合突条２７と見切本体１０及び補助見切材２０の係合部としての係合凹溝１５，２５とは、互いに係合させた後に容易には係合解除が成され難いものとしてもよく、または容易に接離自在とされたものとしてもよい。
また、側端部材２６の固定態様としては、互いの係合部１５，２５，２７を係合させることで固定する態様としてもよく、これに加えて、接着剤や粘着テープ等の粘着材を用いて固定する態様としてもよい。また、係合部１５，２５，２７としては、上記のような態様に限られず、種々の変形が可能である。さらには、このような係合部１５，２５，２７を設けないようにしてもよい。
【００３８】
また、上記した見切本体１０、補助見切材２０及び側端部材２６は、木質系材料や合成樹脂系材料から形成されたものとしてもよい。また、これらを、合成樹脂系材料に、木粉や無機フィラー、相溶化剤、着色剤などを所定の含有割合で含有させた木粉（木質）・プラスチック複合材（ＷＰＣ）からなるものとしてもよく、または、金属系材料からなるものとしてもよい。また、これら見切本体１０、補助見切材２０及び側端部材２６の施工された状態で少なくとも露出する表面に、適宜、突板や樹脂フィルム等の表面化粧シートが貼着されたり、塗装が施されたりして表面化粧処理が施されたものとしてもよい。
【００３９】
本実施形態に係る床見切材１は、上述のような構成としたことで、以下のように、相異なる複数の設置態様に対応することができる。
つまり、当該床見切材１は、第１床部２と第２床部３との段差を緩和するように設置された状態で第１床部２の床面から第２床部３の床面に向けて傾斜する傾斜面を構成し、下面部１６に対して傾斜状に形成された上面部１１を有した見切本体１０を備えている。従って、図１（ａ）に示すように、この見切本体１０の下面部１６を第２床部３に当接させて見切本体１０のみでスロープ状に設置する態様とすれば、見切本体１０の上面部１１が第１床部２の床面から第２床部３の床面に向けて下るように傾斜する傾斜面となる。これにより、第１床部２と第２床部３との段差を緩和することができる。
なお、これら第１床部２及び第２床部３としては、例えば、第２床部３を既設の床とし、第１床部２を、既設の床としての第２床部３上にリフォーム用途等として設置された床材としてもよい。
【００４０】
また、見切本体１０の下面部１６及び補助見切材２０の上面部２１は、互いに接合された状態で見切本体１０の上面部１１と補助見切材２０の下面部２３とが平行状となるように見切本体１０の上面部１１及び補助見切材２０の下面部２３に対して傾斜状に形成されている。従って、補助見切材２０の上面部２１に見切本体１０の下面部１６を接合させて外郭形状が概ね帯板状とされた接合状態で設置することができる。例えば、図１（ｂ）に示すように、第１床部２と第３床部４との間を塞ぐように床見切材１を接合状態で設置する態様とすれば、当該床見切材１によって互いに対向する床部２，４の段壁面２ａ，４ａを構成する床材同士の端面を見栄え良く納めることができる。
なお、これら第１床部２及び第３床部４としては、当該床見切材１の設置対象面となる第２床部を構成する床下地３Ａ上にそれぞれ配設され、同厚さとされた床材としてもよい。これら第１床部２及び第３床部４としては、相異なる種類の床材としてもよく、同種の床材としてもよい。また、これら第１床部２及び第３床部４としては、上記同様、当該床見切材１の設置対象面を、既設の床部（第２床部）３Ａとし、この既設の床部３Ａ上に配設された床材としてもよい。
【００４１】
または、上記のような各設置態様に代えて、図３（ａ）に示すように、第１床部２Ａと第２床部３Ｂとの段差に沿って床見切材１を接合状態で設置する態様とすれば、当該床見切材１によって第１床部２Ａの段壁面２ａを構成する床材の端面を見栄え良く納めることができる。
なお、これら第１床部２Ａ及び第２床部３Ｂとしては、例えば、床下地５上にそれぞれに配設された厚さ寸法の異なる床材としてもよい。つまり、第２床部３Ｂを構成する床材よりも第１床部２Ａを構成する床材の厚さ寸法が大きく形成されたものとしてもよい。このような互いに異なる厚さの床材同士としては、互いが木質系材料等からなる床材同士であったり、木質系材料からなる床材とタイルやカーペット等からなる床材とであったり、木質系材料からなる床材と畳体とであったりしてもよい。なお、これら第１床部２Ａと第２床部３Ｂとの段差を緩和するように見切本体１０のみを設置する態様としてもよい。また、上記した図１（ａ）に示す第１床部２と第２床部３との段差に沿って床見切材１を接合状態で設置する態様としてもよい。
【００４２】
さらには、上記のような段差や床部間に沿って設置する態様に代えて、図３（ｂ）に示すように、敷居状（据え置き状）に床見切材１を接合状態で設置することも可能である。
例えば、それぞれに床下地５上に配設され、同厚さの相異なる種類の床材６と床材７との接合部に沿って敷居状（据え置き状）に床見切材１を接合状態で設置するようにしてもよい。なお、このように、敷居状（据え置き状）に床見切材１を接合状態で設置する場合の設置対象面としては、相異なる種類の床材６と床材７との接合部に沿って設置する態様に限られず、同種の一連状とされた床部の床面上に設置する態様としてもよい。
上記のように、本実施形態に係る床見切材１によれば、種々の設置態様に対応することができる。これにより、隣接する床部同士の納まりに施工現場において柔軟に対応したり、施主等の要望に応じた納め態様としたりすることも可能となる。
【００４３】
また、本実施形態では、見切本体１０の第１床部２，２Ａ側に配設される幅方向一端側の上縁部に、第１床部２，２Ａの床面を覆うように配設される突片部１３を設けている。従って、図１（ａ）、（ｂ）及び図３（ａ）に示すように、第１床部２，２Ａの床面を突片部１３によって覆うことができる。これにより、第１床部２，２Ａの端部を見栄え良く納めることができる。また、これにより、例えば、第１床部２，２Ａを構成する床材や当該見切本体１０の施工誤差、加工誤差等に起因して見切本体１０の対面部１４と第１床部２，２Ａの段壁面２ａとの間に隙間が生じたような場合にも該隙間を覆うことができ、目立ち難くすることができる。
【００４４】
また、本実施形態では、図１（ｂ）に示すように、見切本体１０を、第３床部４の床面を覆うように配設される突片部が形成されるように、幅方向他端側が補助見切材２０よりも幅方向外方側に向けて突出する構成としている。従って、上記のように、第１床部２と第３床部４との間を塞ぐように床見切材１を接合状態で設置した場合に、第３床部４の床面を突片部としての尖頭部１２によって覆うことができ、第３床部４の端部を見栄え良く納めることができる。これにより、上記同様、補助見切材２０の対面部２４と第３床部４の段壁面４ａとの間に隙間が生じたような場合にも該隙間を覆うことができ、目立ち難くすることができる。また、上記のように接合状態で設置した場合に、補助見切材２０の上方側が全体に亘って見切本体１０によって覆われることとなるため、見栄えを向上させることができる。つまりは、見切本体１０と補助見切材２０との接合部が上面側に露出するようなことがないので、見栄えを向上させることができる。
【００４５】
また、本実施形態では、見切本体１０の幅方向両端側の突片部１２，１３のうちの少なくとも幅方向他端側に形成される突片部１３の下方側凹所を埋めるように配設される側端部材２６を備えている。従って、図３（ａ）に示すように、第１床部２Ａ（２）と第２床部３Ｂ（３）との段差に沿って床見切材１を接合状態で設置する態様とする場合には、側端部材２６を取り付けることで、床見切材１の幅方向他端側（反第１床部側）の見栄えを向上させることができる。つまりは、突片部として機能する尖頭部１２の下方側に形成される凹所を目立ち難くすることができる。
【００４６】
また、本実施形態では、見切本体１０の幅方向両端側の突片部１２，１３の下方側凹所を埋めるように配設される側端部材２６，２６を備えている。従って、図３（ｂ）に示すように、敷居状（据え置き状）に床見切材１を接合状態で設置する態様とする場合には、幅方向両側に側端部材２６，２６を取り付けることで、床見切材１の幅方向両端側の見栄えを向上させることができる。つまりは、突片部１３及び突片部として機能する尖頭部１２の下方側にそれぞれ形成される凹所を目立ち難くすることができる。
【００４７】
なお、当該床見切材１（見切本体１０）の設置対象面への固定態様としては、接着剤や粘着テープ等の粘着材によって固定する態様としてもよく、このような固定態様に代えてまたは加えて、釘やねじ等の止具によって固定する態様としてもよい。
また、上記のように接合状態で設置する態様とした場合には、見切本体１０と補助見切材２０とを接合させた状態で設置するようにしてもよく、補助見切材２０を設置した後に見切本体１０を補助見切材２０に接合させる態様としてもよい。
また、上記した床見切材１（見切本体１０）の設置態様は、一例であり、種々の態様で設置可能である。
また、例えば、見切本体１０の上面部１１に建具のレールを埋め込むように設け、上記のように見切本体１０と補助見切材２０とを接合させた状態で設置する態様とした場合に、当該床見切材１がレールを有した建具の下枠として機能するような態様としてもよい。この場合は、該レールを覆うキャップ等を備えたものとしてもよい。
【００４８】
また、本実施形態では、見切本体１０の対面部１４と下面部１６とのなす角度を直角以上とした例を示しているが、対面部１４と下面部１６とのなす角度を鋭角としてもよい。この場合は、第１床部２，２Ａの段壁面２ａと対面部１４との間の隙間を覆い隠せるように突片部１３の突出寸法を大きくするようにしてもよい。
また、見切本体１０の幅方向両端側の突片部１２，１３のうちの一方を設けないようにしてもよい。例えば、見切本体１０の幅方向一端側の突片部１３を設けない態様とした場合には、見切本体１０の最大厚さ部位の厚さを第１床部２，２Ａと第２床部３，３Ｂとの段差と略同寸法としてもよい。また、見切本体１０の幅方向他端側の突片部１２を設けない態様とした場合には、補助見切材２０との接合状態で見切本体１０の幅方向他端が補助見切材２０の対面部２４の上縁と幅方向において略一致するように形成するようにしてもよい。
【符号の説明】
【００４９】
１              床見切材
１０            見切本体
１１            上面部
１２            尖頭部（幅方向他端側に形成される突片部）
１３            突片部（幅方向一端側の突片部）
１４            対面部
１６            下面部
２０            補助見切材
２１            上面部
２３            下面部
２６            側端部材
２，２Ａ        第１床部
２ａ            段壁面
３，３Ａ，３Ｂ  第２床部
４              第３床部
【図１】
2014240549.tif 000003
【図２】
2014240549.tif 000004
【図３】
2014240549.tif 000005